(57)【要約】【課題】回線が使用されている場合、患者が離床している場合、患者が睡眠している場合に、患者および医療従事者に手間をかけさせずに、患者が聞き逃すことなく、迅速に一斉放送できるようにする。【解決手段】睡眠検出装置６と離床検出装置７と回線検出部１５とを子機１に対応して設置し、一斉放送が行われた場合に、各検出信号の何れかを入力すると、その信号に含まれる識別情報と音声入力部１８による音声データとを関連付けて記憶するとともに、それ以外の子機１に対して一斉放送を行う。そして、記憶している識別情報を抽出し、各検出信号の何れかを入力した場合に、その信号に含まれる識別情報と抽出した識別情報とが一致するか否かを調べて、一致する識別情報を更新して記憶し、それ以外の識別情報により特定される子機１に対して記憶された音声データを出力して一斉放送を行う処理を、対象となる子機１が存在しなくなるまで繰り返す。【選択図】図１
2012005612.tif 000002
【特許請求の範囲】
【請求項１】
各ベッドの近傍に設置され、一斉放送の音声を出力するための音声出力部と、医療従事者を呼び出すために操作される呼出操作部と、前記呼出操作部が操作された場合に他の装置と識別するための識別情報を含む呼出信号を生成する子機制御部とを有するナースコール子機と、
前記ベッド上の患者が睡眠していることを検出して睡眠検出信号を出力する睡眠検出装置と、
前記ベッド上の患者が離床していることを検出して離床検出信号を出力する離床検出装置と、
前記ナースコール子機の回線が使用されていることを検出して回線検出信号を出力する回線検出装置と、
前記呼出信号、前記睡眠検出信号、前記離床検出信号および前記回線検出信号を入力する親機インターフェースと、呼び出しが行われたことを報知する報知部と、一斉放送を行う際に操作される一斉放送操作部と、周囲の音声を入力して音声データとして出力する音声入力部と、音声データとナースコール子機の識別情報とを関連付けて記憶する記憶部と、前記インターフェースが呼出信号を入力した場合に前記報知部を動作させるとともに、前記一斉放送操作部が操作された場合に、前記インターフェースが睡眠検出信号、離床検出信号および回線検出信号の何れかを入力すると、対応するナースコール子機の識別情報を前記音声入力部から出力された音声データに関連付けて前記記憶部に記憶させる第一の処理と、前記音声入力部から出力された音声データを識別情報が記憶されなかったナースコール子機に対して出力する第二の処理とを行い、前記記憶部に識別情報が記憶されたナースコール子機に対して、前記インターフェースが睡眠検出信号、離床検出信号および回線検出信号の何れかを入力した場合に、対応するナースコール子機の識別情報を更新して前記記憶部に記憶させる第三の処理と、識別情報が更新して記憶されなかったナースコール子機に対して前記記憶部に記憶されている音声データを出力する第四の処理とを前記記憶部に更新して記憶されている識別情報が存在しなくなるまで繰り返す制御部とを有するナースコール親機と、
を備えたナースコールシステム。
【発明の詳細な説明】
【技術分野】
【０００１】
本発明は、患者が看護師などの医療従事者を呼び出すためのナースコールシステムに関し、特に、医療従事者から特定の患者に対して放送を行うことができるナースコールシステムに関する。
【背景技術】
【０００２】
一般に、病院などの施設では、ナースコールシステムが用いられている。ナースコールシステムは、病院の患者が看護師や医師などの医療従事者（以下、単に医療従事者と記載する）のサポートを必要とする際に、患者がナースコール子機の呼出操作部を操作することによって医療従事者を呼び出すことができるように成されたシステムである。
【０００３】
多くのナースコールシステムは、病室のベッド近傍やトイレ、浴室などに設置されるナースコール子機と、ナースステーションに設置されるナースコール親機と、病室の入口付近に設置される廊下灯と、通話やデータの送受信に関する制御を行う制御機とを備えて構成されている。また、上述した構成に加えて、医療従事者が携行する携帯端末（例えば、ＰＨＳ（Personal Handy phone System）端末など）とＰＢＸ（Private Branch Exchange：電話交換機）とを備えたナースコールシステムも提供されている。
【０００４】
このようなナースコールシステムは、患者がナースコール子機の呼出操作部を操作した場合に、ナースコール子機からナースコール親機へ呼出信号を出力し、呼出信号を入力したナースコール親機にてスピーカから報知音を鳴らしたり、患者毎に設けたランプを点灯／点滅させたり、表示ディスプレイに呼び出しが行われたことを表示させたりして、呼び出しを報知するようにしている。
【０００５】
また、このようなナースコールシステムでは、医療従事者がナースコール親機を使用して、ナースコール子機を使用している全ての患者に対して一斉放送を行う機能や、ナースコール子機を使用している全ての患者の中から特定の患者を選択して、選択した患者に対して個別放送（以下、一斉放送および個別放送をまとめて一斉放送と記載する）を行う機能が一般的に搭載されている。この場合、各ナースコール子機はスピーカを備えており、スピーカから一斉放送の放送内容が音声として出力される。
【０００６】
ところで、ナースコールシステムだけではなく、集合住宅用インターホンシステムでも一斉放送の機能が搭載されている。具体的には、管理室に設置された集合親機から各住戸に設置されたインターホンに対して一斉放送が行われる。このような集合住宅用インターホンシステムの一斉放送では、居住者が不在の場合に一斉放送が行われると、不在であった居住者が一斉放送を聞き逃してしまうという問題があった。このような問題を解決するために、一斉放送の音声データを録音しておき、居住者が録音されていた音声データを必要に応じて再生できるようにした技術が知られている（例えば、特許文献１など）。この特許文献１によれば、一斉放送を聞き逃した居住者が一斉放送の音声データを再生することで、その居住者が一斉放送を聞き逃すことがなくなる。
【０００７】
また、各住戸のインターホンの回線が使用中である場合には、その住戸に対しては一斉放送が行われなくなり、この住戸の居住者が一斉放送を聞き逃してしまうという問題もあった。このような問題を解決するために、一斉放送の音声データを予め録音し、各住戸のインターホンの回線が使用中であれば一定時間経過後に録音されている音声データを用いて一斉放送を試み、各住戸のインターホンの回線が空きの状態になるまでこの動作を繰り返すようにした技術が知られている（例えば、特許文献２など）。この特許文献２によれば、各住戸のインターホンの回線が空き状態のときに一斉放送が行われるので、居住者が一斉放送を聞き逃すことがなくなる。また、一斉放送が予め録音された音声データを用いて自動的に行われるので、放送を行う人が何度も一斉放送の操作を行うといった煩わしさを解消することができるという効果も得られる。
【０００８】
しかしながら、特許文献１に記載の技術をナースコールシステムに適用した場合、次のような問題を生じてしまう。すなわち、患者が一斉放送の内容を確認するためには、再生の操作を行わなければならないので、患者に対する負担が増してしまうという問題があった。例えば、患者が再生の操作を行うことができないような状態の場合には、患者は一斉放送の内容を確認することができなくなってしまう。
【０００９】
また、特許文献２に記載の技術では、次のような問題を生じてしまう。すなわち、予め録音されている音声データを用いて一斉放送を行うタイミングと各住戸のインターホンの回線が使用中であるタイミングとが一致していると、一斉放送が先送りになってしまうので、一斉放送が行われるタイミングが遅くなってしまうという問題があった。例えば、一斉放送の内容が、ある期限内に居住者に所定の行動を行わせるようなものである場合には、全ての居住者が期限内に所定の行動を行うことができなくなってしまう可能性が生じてしまう。
【先行技術文献】
【特許文献】
【００１０】
【特許文献１】特開２００７−６４０８号公報
【特許文献２】特開２０００−２７８４１８号公報
【発明の概要】
【発明が解決しようとする課題】
【００１１】
また、上述した一般的な一斉放送を行うナースコールシステムや、特許文献１に記載の技術および特許文献２に記載の技術を適用したナースコールシステムでは、ベッド上の患者が睡眠を取っているような場合にも一斉放送が行われてしまうので、患者の睡眠を妨げてしまうという問題があった。
【００１２】
本発明は、このような問題を解決するために成されたものであり、患者が使用するナースコール子機の回線が使用されている場合、患者がベッドから離床している場合に加えて、患者が睡眠を取っている場合でも、一斉放送を行う医療従事者および患者に対して余計な手間をかけさせることなく患者が一斉放送を聞き逃すことを防止することができるとともに、できるだけ迅速に一斉放送を行うことができるようにすることを目的とする。
【課題を解決するための手段】
【００１３】
上述した課題を解決するために、本発明では、患者が睡眠していることを検出する睡眠検出装置と患者がベッドから離床していることを検出する離床検出装置とナースコール子機の回線が使用されていることを検出する回線検出装置とを一斉放送の音声を出力可能なナースコール子機に対応して設置する。ナースコール親機にて任意のナースコール子機を指定して一斉放送を行った場合に、一斉放送の音声を入力し、患者の睡眠を検出している睡眠検出装置、患者の離床を検出している離床検出装置および回線の使用を検出している回線検出装置に対応するナースコール子機の識別情報に関連付けて、入力した音声を音声データとして記憶させるとともに、それ以外のナースコール子機に対して音声データを出力する。そして、識別情報が記憶されたナースコール子機に対して、患者の睡眠を検出している睡眠検出装置、患者の離床を検出している離床検出装置および回線の使用を検出している回線検出装置に対応するナースコール子機の識別情報を更新して記憶させるとともに、それ以外のナースコール子機に対して記憶された音声データを出力する動作を、指定された全てのナースコール子機に一斉放送が行われるまで繰り返すようにしている。
【発明の効果】
【００１４】
上記のように構成した本発明によれば、患者の睡眠を検出している睡眠検出装置、患者の離床を検出している離床検出装置および回線の使用を検出している回線検出装置に対応するナースコール子機以外のナースコール子機に対して一斉放送が行われ、このタイミングで一斉放送が行われなかったナースコール子機に対しても、患者の睡眠、患者の離床および回線の使用の何れも検出されていないタイミングで記憶された音声データが出力されるので、できるだけ迅速に一斉放送を行うことができる。
【００１５】
また、一斉放送の音声を出力していないナースコール子機の識別情報が更新して記憶され、更新して記憶された識別情報に関連付けて記憶されている一斉放送の音声データが繰り返し出力されるので、一斉放送を行う医療従事者がいちいち一斉放送の操作を行ったり音声を入力したりする必要がなくなり、医療従事者に手間をかけさせることなく一斉放送を行うことができる。
【００１６】
また、指定された全てのナースコール子機に一斉放送が行われるまで、一斉放送が行われていないナースコール子機に対して一斉放送の音声データの出力が行われるので、患者が再生の操作を行う必要がなくなり、患者に手間をかけさせることなく、患者が一斉放送を聞き逃すことを防止することができる。
【図面の簡単な説明】
【００１７】
【図１】本実施形態によるナースコールシステムの構成例を示すブロック図である。
【発明を実施するための形態】
【００１８】
以下、本発明の一実施形態を図面に基づいて説明する。図１は、本実施形態によるナースコールシステムの構成例を示すブロック図である。図１において、１はナースコール子機であり、各患者のベッドの近傍などに設置され、患者が医療従事者を呼び出す際に使用されるとともに、患者が一斉放送を聞く際に使用される。ここで、ナースコール子機１は、子機制御部２、呼出操作部３、子機インターフェース４、音声出力部５を備えて構成されている。
【００１９】
６は睡眠検出装置であり、ベッド上などに設置され、ベッド上の患者の睡眠中の呼吸や脈拍、体動による振動などを検出して患者が睡眠していることを検出する。また、睡眠検出装置６は、患者の睡眠を検出すると、睡眠検出信号を出力する。また、睡眠検出信号には、この睡眠検出装置６を他の睡眠検出装置６と識別するための識別情報（例えば、睡眠検出装置６が設置されているベッドのベッド番号などの情報）が含まれている。
【００２０】
７は離床検出装置であり、ベッド上などに設置され、ベッド上の荷重などを検知することで、患者がベッドから離床したことを検出する。また、離床検出装置７は、患者の離床を検出すると、離床検出信号を出力する。また、離床検出信号には、この離床検出装置７を他の離床検出装置７と識別するための識別情報（例えば、離床検出装置７が設置されているベッドのベッド番号などの情報）が含まれている。なお、睡眠検出装置６や離床検出装置７の検出方法はこれらの方法に限定されない。
【００２１】
１０はナースコール親機であり、医療従事者が常駐するナースステーションなどに設置され、医療従事者によって使用される。ここで、ナースコール親機１０は、制御部１１、親機インターフェース１２、記憶部１３、報知部１４、回線検出部（特許請求の範囲の回線検出装置に該当する）１５、子機指定部１６、一斉放送操作部１７、音声入力部１８を備えて構成されている。また、ナースコール親機１０には、複数のナースコール子機１が接続されている。また、ナースコール子機１とナースコール親機１０との間には、廊下灯や制御機（ともに図示せず）が接続されている。廊下灯は、病室内の患者の氏名を表示するとともに、病室内の患者が呼び出しを行った場合に呼び出しが行われたことを表示する。また、制御機は、ナースコール子機１とナースコール親機１０との間の通信の制御を行う。なお、周知のナースコールシステムと同様に、医療従事者が携行する携帯端末とＰＢＸとをナースコール親機１０に連動するようにしても良い。
【００２２】
子機制御部２は、ナースコール子機１の各構成要素を後述するように制御するためのものであり、ＣＰＵ（Central Processing Unit）などにより構成されている。呼出操作部３は、ナースコール子機１の筐体に取り付けられており、患者が医療従事者を呼び出す際に、患者によって操作される。子機インターフェース４は、ナースコール子機１と端末１０とを接続して通信を行うためのものである。音声出力部５は、ナースコール子機１の筐体に取り付けられており、一斉放送の音声を出力したり、ナースコール子機１とナースコール親機１０との間で通話路が形成されている際の音声を出力したりするためのものである。
【００２３】
ここで、呼出操作部３が操作されると、子機制御部２は呼出信号を生成し、子機インターフェース４は、子機制御部２にて生成された呼出信号をナースコール親機１０へ出力する。また、呼出信号には、ナースコール子機１を他のナースコール子機１と識別するための識別情報（例えば、ベッド番号などの情報）が含まれている。また、呼出信号に含まれる識別情報と睡眠検出信号に含まれる識別情報と離床検出信号に含まれる識別情報は共通のものである。
【００２４】
親機制御部１１は、ナースコール親機１０の各構成要素を後述するように制御するためのものであり、ＣＰＵなどにより構成されている。親機インターフェース１２は、ナースコール親機１０とナースコール子機１とを接続して通信を行うためのものである。ここで、親機インターフェース１２は、ナースコール子機１から出力された呼出信号を入力するとともに、睡眠検出装置６から出力された睡眠検出信号および離床検出装置７から出力された離床検出信号を入力する。
【００２５】
記憶部１３はメモリやハードディスクなどの記憶装置により構成されており、識別情報と患者の氏名などを示す患者情報とを関連付けて記憶している。また、記憶部１３は、一斉放送が行われていないナースコール子機１を示す識別情報とその一斉放送の音声データとを関連付けて記憶する。ここで、一斉放送が行われていないナースコール子機１が複数存在する場合には、記憶部１３は、一つの音声データに複数の識別情報を関連付けて記憶する。
【００２６】
報知部１４は、スピーカやランプ、表示ディスプレイなどにより構成されており、患者からの呼び出しを報知するためのものである。親機インターフェース１２が呼出信号を入力すると、制御部１１は記憶部１３を参照して、呼出信号に含まれる識別情報に関連付けて記憶されている患者情報を抽出する。そして、制御部１１は、報知部１４を動作させて、抽出した患者情報によって特定される患者が呼び出しを行っていることを、スピーカからの音声の出力やランプの点灯／点滅、表示ディスプレイの表示などにより報知するようにしている。
【００２７】
回線検出部１５は、ナースコール子機１の回線が使用されていることを検出するためのものであり、ナースコール親機１０とナースコール子機１との間で通話路が形成されている場合に、回線検出信号を生成して親機インターフェース１２に出力する。このとき、回線検出信号には、通話路が形成されているナースコール子機１の識別情報が含まれる。
【００２８】
子機指定部１６は、選局スイッチなどにより構成されており、医療従事者が一斉放送を行う際に、放送を行いたいナースコール子機１を指定する操作を行うためのものである。ここで、選局スイッチには、ベッド番号や患者の氏名などが記載されており、医療従事者はその記載を見て一斉放送を行うナースコール子機１を指定する。なお、子機指定部１６は、ベッド番号や患者の氏名を一つ一つ指定する選局スイッチだけではなく、所定の条件に該当するベッド番号や患者の氏名を一括して指定できる選局スイッチを備えていても良い。ここで、所定の条件とは、同じ病室であったり同じチームであったりという条件である。また、子機指定部１６は必須の構成要素ではなく、子機子弟部１６によるナースコール子機１の指定が無い場合には、ナースコール親機１０に接続されている全てのナースコール子機１に対して一斉放送を行うようにしても良い。
【００２９】
一斉放送操作部１７は、子機指定部１６により指定されたナースコール子機１に対して一斉放送を行う際に医療従事者により操作されるものであり、ボタンなどにより構成されている。音声入力部１８は、ハンドセットやマイクなどにより構成されており、周囲の音声を入力して音声データを生成する。ここで、医療従事者は、音声入力部１８により一斉放送の音声を入力する。
【００３０】
このように構成されたナースコールシステムにおいて、医療従事者が子機指定部１６にてナースコール子機１を指定して一斉放送操作部１７を操作すると、制御部１１は音声入力部１８を動作させる。また、親機インターフェース１２が睡眠検出信号、離床検出信号および回線検出信号を入力しているか否かを制御部１１にて調べる。
【００３１】
親機インターフェース１２が睡眠検出信号、離床検出信号および回線検出信号を何れも入力していないと制御部１１にて判断した場合には、制御部１１は、子機指定部１６にて指定された全てのナースコール子機１との間で通話路を形成し、音声入力部１８にて入力された音声により生成された音声データをナースコール子機１に出力する。ナースコール子機１では、子機インターフェース４が音声データを入力し、入力した音声データを音声出力部５が音声として出力する。この段階で、子機指定部１６にて指定されたナースコール子機１に対する一斉放送は完了する。
【００３２】
一方、親機インターフェース１２が睡眠検出信号、離床検出信号および回線検出信号の何れかを入力していると制御部１１にて判断した場合には、制御部１１は、入力した信号に含まれる識別情報を抽出し、子機指定部１６にて指定されたナースコール子機１の識別情報と一致するか否かを調べる。子機指定部１６にて指定されたナースコール子機１の識別情報と一致する識別情報が抽出されなかった場合には、入力している信号は一斉放送と無関係のナースコール子機１に対応するものであると考えられるため、制御部１１は、子機指定部１６にて指定された全てのナースコール子機１との間で通話路を形成し、音声入力部１８にて入力された音声により生成された音声データをナースコール子機１に出力する。ナースコール子機１では、子機インターフェース４が音声データを入力し、入力した音声データを音声出力部５が音声として出力する。この段階で、子機指定部１６にて指定されたナースコール子機１に対する一斉放送は完了する。
【００３３】
また、子機指定部１６にて指定されたナースコール子機１の識別情報と一致する識別情報が抽出された場合には、抽出した識別情報と音声入力部１８にて入力された音声により生成された音声データとを関連付けて記憶部１３に記憶させる（特許請求の範囲の第一の処理に該当する）。また、子機指定部１６にて指定されたナースコール子機１の中から識別情報が記憶されたナースコール子機１以外のナースコール子機１を特定し、特定したナースコール子機１との間で通話路を形成して、音声入力部１８にて入力された音声により生成された音声データをナースコール子機１に出力する（特許請求の範囲の第二の処理に該当する）。ナースコール子機１では、子機インターフェース４が音声データを入力し、入力した音声データを音声出力部５が音声として出力する。この段階では、子機指定部１６にて指定されたナースコール子機１のうち、識別情報が記憶部１３に記憶されたナースコール子機１以外のナースコール子機１に対する一斉放送のみが終了したことになる。しかし、この状態では、一斉放送が完了していないため、制御部１１は以下の処理を実行する。なお、全てのナースコール子機１が子機指定部１６にて指定されている場合には、上述した識別情報の一致を調べる動作は不要となる。
【００３４】
（１）制御部１１は記憶部１３を参照して、音声データを取得し、この音声データに関連付けて記憶されている識別情報を抽出する。そして、親機インターフェース１２が睡眠検出信号、離床検出信号および回線検出信号の何れかを入力しているか否かを制御部１１にて再度調べる。親機インターフェース１２が睡眠検出信号、離床検出信号および回線検出信号の何れも入力していないと制御部１１にて判断した場合には、制御部１１は、記憶部１３から抽出された識別信号により特定される全てのナースコール子機１との間で通話路を形成し、記憶部１３から取得した音声データをナースコール子機１に出力する。ナースコール子機１では、子機インターフェース４が音声データを入力し、入力した音声データを音声出力部５が音声として出力する。
【００３５】
（２）一方、親機インターフェース１２が睡眠検出信号、離床検出信号および回線検出信号の何れかを入力していると制御部１１にて判断した場合には、制御部１１は、入力した信号に含まれる識別情報を抽出し、記憶部１３から抽出した識別情報と一致するか否かを調べる。
【００３６】
（３）記憶部１３から抽出した識別情報と一致する識別情報が抽出されなかった場合には、入力している信号は一斉放送と無関係のナースコール子機１に対応するものであると考えられるため、制御部１１は、記憶部１３から抽出した識別情報により特定される全てのナースコール子機１との間で通話路を形成し、記憶部１３から取得した音声データをナースコール子機１に出力する。ナースコール子機１では、子機インターフェース４が音声データを入力し、入力した音声データを音声出力部５が音声として出力する。
【００３７】
（４）一方、記憶部１３から抽出した識別情報と一致する識別情報が抽出された場合には、一致した識別情報のみを取得した音声データに関連付けて記憶部１３に記憶させる。このとき、制御部１１は元のデータを更新して記憶部１３に記憶させる（特許請求の範囲の第三の処理に該当する）。また、制御部１１は、記憶部１３から抽出した識別情報により特定されるナースコール子機１の中から一致した識別情報により特定されるナースコール子機１以外のナースコール子機１を特定し、特定したナースコール子機１との間で通話路を形成して、記憶部１３から取得した音声データをナースコール子機１に出力する（特許請求の範囲の第四の処理に該当する）。ナースコール子機１では、子機インターフェース４が音声データを入力し、入力した音声データを音声出力部５が音声として出力する。この段階では、子機指定部１６にて指定されたナースコール子機１のうち、更新された識別情報が記憶部１３に記憶されたナースコール子機１以外のナースコール子機１に対する一斉放送が終了したことになる。
【００３８】
そして、制御部１１は、記憶部１３に更新して記憶されている識別情報が存在しなくなるまで（換言すると、子機指定部１６にて指定された全てのナースコール子機１への一斉放送が完了するまで）、（１）から（４）の処理を所定のタイミングで繰り返し実行する。ここで、所定のタイミングとは、睡眠検出装置６や離床検出装置７、回線検出部１５による検出の状態が変化するタイミングであることが好ましく、例えば、３０分毎などのタイミングである。なお、この時間間隔をナースコール親機１０で任意に設定できるようにしても良い。例えば、一斉放送の内容が緊急なものであるような場合には、時間間隔を短くするようにすれば良い。また、上述した時間間隔を一定時間としなくても良い。例えば、タイミングを徐々に短くしたり、タイミングを徐々に長くしたりするようにしても良い。
【００３９】
以上詳しく説明したように、本実施形態によれば、患者が睡眠していることを検出する睡眠検出装置６と患者がベッドから離床していることを検出する離床検出装置７とナースコール子機の回線が使用されていることを検出する回線検出部１５とを一斉放送の音声を出力する音声出力部５を備えたナースコール子機１に対応して設置する。また、一斉放送操作部１７が操作されて一斉放送が行われた場合に、制御部１１は音声入力部１８を動作させて一斉放送の音声を入力させ、睡眠検出信号、離床検出信号および回線検出信号の何れかを入力した場合にその信号に含まれる識別情報と音声入力部１８から出力された音声データとを関連付けて記憶部１３に記憶させるとともに、それ以外のナースコール子機１に対して音声データを出力するようにしている。
【００４０】
そして、所定のタイミングで、制御部１１は、記憶部１３に記憶された音声データに関連付けて記憶されている識別情報を抽出し、睡眠検出信号、離床検出信号および回線検出信号の何れかを入力した場合にその信号に含まれる識別情報と記憶部１３から抽出した識別情報とが一致するか否かを調べて、一致する識別情報を更新して記憶部１３に記憶させるとともに、それ以外の識別情報により特定されるナースコール子機１に対して記憶されている音声データを出力する処理を行い、指定された全てのナースコール子機１に一斉放送が行われるまでこの処理を繰り返すようにしている。
【００４１】
これにより、患者の睡眠を検出している睡眠検出装置６、患者の離床を検出している離床検出装置７および回線の使用を検出している回線検出部１５に対応するナースコール子機１以外のナースコール子機１に対して一斉放送が行われ、このタイミングで一斉放送が行われなかったナースコール子機１に対しても、患者の睡眠、患者の離床および回線の使用の何れも検出されていないタイミングで、記憶されている音声データが出力されるので、できるだけ迅速に一斉放送を行うことができる。
【００４２】
また、一斉放送の音声を出力していないナースコール子機１の識別情報が更新して記憶部１３に記憶され、更新して記憶された識別情報に関連付けて記憶されている一斉放送の音声データが繰り返し出力されるので、一斉放送を行う医療従事者がいちいち一斉放送の操作を行ったり音声を入力したりする必要がなくなり、医療従事者に手間をかけさせることなく一斉放送を行うことができる。
【００４３】
また、指定された全てのナースコール子機１に一斉放送が行われるまで、一斉放送が行われていないナースコール子機１に対して一斉放送の音声データの出力が行われるので、患者が再生の操作を行う必要がなくなり、患者に手間をかけさせることなく、患者が一斉放送を聞き逃すことを防止することができる。
【００４４】
なお、前述した実施形態では、回線検出部１５は、ナースコール親機１０に内蔵されているが、これに限定されない。例えば、ナースコール子機１に内蔵されていても良いし、睡眠検出装置６や離床検出装置７のように単独で設置されるようにしても良い。
【００４５】
また、前述した実施形態では、識別情報を用いてナースコール子機１と睡眠検出装置６と離床検出装置７と回線検出部１５との対応付けを行っていたが、これに限定されない。例えば、ナースコール親機１０の親機インターフェース１２の入力端子を共通とすることで、各機器の対応付けを行うようにしても良い。
【００４６】
また、前述した実施形態では、一種類の一斉放送を行う場合のみを例示して説明したが、これに限定されない。例えば、複数種類の一斉放送を並行して行うようにしても良い。この場合、各音声データと各識別情報とを別々に関連付けて記憶部１３に記憶する必要がある。
【００４７】
また、前述した実施形態では、医療従事者が一斉放送の進捗情報を確認することができていないが、これに限定されない。例えば、記憶部１３に記憶されている音声データを再生することができるようにするとともに、音声データの再生時にこの音声データに関連付けて記憶されている識別情報を図示しない表示部などに表示するようにしても良い。これにより、再生された音声を聴き、表示された識別情報を見ることで、医療従事者は一斉放送の進捗状況を確認することができる。
【００４８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４９】
１    ナースコール子機
２    子機制御部
３    呼出操作部
４    子機インターフェース
５    音声出力部
６    睡眠検出装置
７    離床検出装置
１０    ナースコール親機
１１    制御部
１２    親機インターフェース
１３    記憶部
１４    報知部
１５    回線検出部
１６    子機指定部
１７    一斉放送操作部
１８    音声入力部
【図１】
2012005612.tif 000003